(57)【要約】【課題】本体パネルをシンプルな構成とし、老齢者なども簡単に操作ができ、且つ、種々のメニューに対応できるジャー炊飯器を提供することを目的とする。【解決手段】本体１と、本体１とは別体のリモコン１１とからなり、本体１は負荷を加熱する加熱部５と、この加熱部５を駆動するドライブ回路６と、炊飯状態などを表示する表示部２と、動作信号を入力する本体操作部３と、リモコン１１から送られてくる動作信号を受信する受信部８と、これらを制御するマイクロコンピュータ１０とを備え、リモコン１１は動作信号を入力するリモコン操作部１２と、この動作信号を本体１に送信する送信部１３とを備えたジャー炊飯器において、本体操作部３には使用頻度の高い操作キーのみを配置し、リモコン操作部１２には全ての操作キーを配置する。【選択図】  図２
2004229850.tif 000002
【特許請求の範囲】
【請求項１】
本体（１）と、本体（１）とは別体のリモコン（１１）とからなり、本体（１）は負荷を加熱する加熱部（５）と、この加熱部（５）を駆動するドライブ回路（６）と、炊飯状態などを表示する表示部（２）と、動作信号を入力する本体操作部（３）と、リモコン（１１）から送られてくる動作信号を受信する受信部（８）と、これらを制御するマイクロコンピュータ（１０）とを備え、リモコン（１１）は動作信号を入力するリモコン操作部（１２）と、この動作信号を本体（１）に送信する送信部（１３）とを備えたジャー炊飯器において、
本体操作部（３）には使用頻度の高い操作キーのみを配置し、リモコン操作部（１２）には全ての操作キーを配置することを特徴とするジャー炊飯器。
【発明の詳細な説明】
【０００１】
【発明の属する技術分野】
本発明は、ジャー炊飯器の構造と制御方法に関するものである。
【０００２】
【従来の技術】
近年発売されているジャー炊飯器は、顧客の食生活を豊かにするため、炊き分けや、メニューなどの種類が次々に増えてきた。これに伴い、ジャー炊飯器の操作部および表示部を配置したパネルには表示文字や、操作キーの数が増加したり、操作が複雑になったりしている。
【０００３】
このような従来の一例を、図５を参照して説明する。図５は第一の従来例のジャー炊飯器の本体パネルの図である。
図５（ａ）は本体１上部手前に配置される本体パネル４の表示部２の表示内容が初期状態の場合を示すもので、本体パネル４上の本体操作部３には保温を始め、時／分、予約、炊飯・再加熱、切、メニュー、炊き分けの７つの操作キーが液晶表示器等で形成される表示部２の下方に並んでいる。図に示されている表示部２の表示内容は通常の初期状態（設定操作や炊飯動作を行っていない状態）であり、時刻と白米が表示され、表示部２の周りには炊き込み、すし、おかゆ、雑炊、玄米、玄米がゆなど６つの炊飯メニューが印字されてある。
【０００４】
図５（ｂ）は炊き分けメニューの設定を行う場合を示している。尚、炊き分けキー以外の操作キーの表示内容は省略している。炊き分けキーを押すと、表示部２の上部と左部にある炊き分けのメニュー（白米、無洗米、快速、おこげ、軟、硬、クリン）が点灯する。炊き分けキーを押す度に、炊き分けのメニューは白米→白米＋快速→白米＋おこげ→白米＋軟→白米＋硬→無洗米→無洗米＋快速→無洗米＋おこげ→無洗米＋軟→無洗米＋硬→クリン→白米……の順で点滅する。選択したい炊き分けメニューが点滅するまで炊き分けキーを押し、その後炊飯キーを押せば、選択した炊き分けメニューの炊飯動作が開始され、各工程を経て、炊飯動作が終了する。
【０００５】
図５（ｃ）は炊飯メニューの設定を行う場合を示している。尚、メニューキー以外の操作キーの表示内容は省略している。メニューキーを押すと、表示部２の下部に三角▽が表示される。メニューキーを押す度に、三角▽表示は炊き込み→すし→おかゆ→雑炊→玄米→玄米がゆ→炊き込み……の順で、それぞれ印字の上方または左方へ移動する。三角▽表示が選択したいメニューの上方または左方の位置となるまでメニューキーを押し、その後炊飯キーを押せば、選択した炊飯メニューの炊飯動作が開始され、各工程を経て、炊飯動作が終了する。
【０００６】
上記した第一の従来例のジャー炊飯器は、本体のコンパクト化のニーズに対応して、本体パネル４もコンパクト化したので、本体パネル４上の本体操作部３の操作キーの数を少なくしているが、そのため、操作キーの押す回数が多く、また、操作が複雑で分り難いなど、操作性に難点があった。
【０００７】
そこで、この問題に対処した例として、特許文献１に開示された例がある。この例は、入力および表示部をタッチパネルで形成し、該タッチパネルの入力および表示部により、炊飯メニュー等の選択設定を、各メニューの操作順序に応じて順次表示される表示に従って行うものである。また、この例には、前記入力および表示部を本体とは別体のリモコンとして構成したものも含んでいる。
【０００８】
この例の詳細を、図を参照して説明する。
【０００９】
図６は第二の従来例のジャー炊飯器の入力および表示部の表示例を示す図である。
同図（ａ）は、操作開始前の状態で、入力および表示部１５に７種のメニュー（白米、早炊き、新米、すしめし、炊き込み、玄米、おかゆ）と保温が操作キー機能を伴って表示されていることを示している。使用者が７種のメニューの一つ、ここでは「白米」を選択してタッチすると、入力および表示部１５は同図（ｂ）のすぐ炊飯またはタイマー予約の選択表示に切り替わる。
【００１０】
次に、使用者が「すぐ炊飯」にタッチすると、入力および表示部１５は同図（ｃ）の選択したメニューの確認表示に切り替わる。ここで、使用者が「取り消し」にタッチしないと、入力および表示部１５は同図（ｄ）の炊飯中表示に切り替わり、炊飯動作が開始され、各工程を経て、炊飯動作が終了する。
【００１１】
本体と別体のリモコンを備えた場合は、リモコンに前記入力および表示部１５を構成したもので、その動作は前記とほぼ同様のため、説明を割愛する。
【００１２】
【特許文献１】
特開平１１−１３７４２１号公報。
【００１３】
【発明が解決しようとする課題】
前述したように、第一の従来例のジャー炊飯器は、本体のコンパクト化のニーズに対応して、本体パネル４もコンパクト化したので、本体パネル４上の本体操作部３の操作キーの数を少なくしているが、そのため、操作キーの押す回数が多く、また、操作が複雑で分り難いなど、操作性に難点があった。
【００１４】
そこで、この問題に対処した第二の従来例のジャー炊飯器は、該タッチパネルの入力および表示部１５により、炊飯メニュー等の選択設定を各メニューの操作順序に応じて順次表示される表示に従って行うものであり、また、この入力および表示部１５を本体とは別体のリモコンとして構成したものであるが、多くなったメニュー数だけ種類のある操作キーから選択し、その後炊飯動作を開始する操作キーを押す必要があり、さらに、操作性を向上する課題があった。
【００１５】
本発明は、前記不具合を解決するものであり、本体パネルをシンプルな構成とし、老齢者なども簡単に操作ができ、且つ、種々のメニューに対応できるジャー炊飯器を提供することを目的とする。
【００１６】
【課題を解決するための手段】
本発明は上述の課題を解決するために、本体と、本体とは別体のリモコンとからなり、本体は負荷を加熱する加熱部と、この加熱部を駆動するドライブ回路と、炊飯状態などを表示する表示部と、動作信号を入力する本体操作部と、リモコンから送られてくる動作信号を受信する受信部と、これらを制御するマイクロコンピュータとを備え、リモコンは動作信号を入力するリモコン操作部と、この動作信号を本体に送信する送信部とを備えたジャー炊飯器において、本体操作部には使用頻度の高い操作キーのみを配置し、リモコン操作部には全ての操作キーを配置するものである。
【００１７】
【発明の実施の形態】
本発明は、前述のように、本体と、本体とは別体のリモコンとからなるジャー炊飯器において、本体操作部には使用頻度の高い操作キーのみを配置し、リモコン操作部には全ての操作キーを配置するものである。
これによって、本体パネルをシンプルな構成とし、老齢者なども簡単に操作ができ、且つ、種々のメニューに対応できるジャー炊飯器を提供することができる。
【００１８】
【実施例】
以下、本発明の一実施例を図面に従って説明する。
【００１９】
図１は本発明の一実施例のブロック構成図で、同図（ａ）は本体のブロック構成図、同図（ｂ）はリモコンのブロック構成図である。図２は本発明の一実施例のパネルの図で、同図（ａ）は本体パネルの図、同図（ｂ）はリモコンパネルの図である。図３は本発明の一実施例の白米の炊飯時の表示部の表示を示す図である。図４は本発明の一実施例の無洗米の設定から炊飯までの表示部の表示を示す図である。
【００２０】
先ず、図１に従い、全体のブロック構成を説明する。
図１（ａ）において、１はジャー炊飯器の本体である。
【００２１】
２は表示部で、通常液晶表示器（ＬＣＤ）で実現される。入力は後記マイクロコンピュータ１０と接続され、入力された信号により時刻や、炊飯状態などを表示する。
【００２２】
３は本体操作部で、通常タクトスイッチで実現される操作キーで構成され、動作信号を入力する。本例では、炊飯と切の２つキーから構成され、炊飯信号や切信号、すなわち動作信号を後記マイクロコンピュータ１０に出力する。４は本体パネルで、前記表示部２および本体操作部３から構成される。
【００２３】
５は加熱部で、誘導加熱式ジャー炊飯器の場合、加熱コイルを含む共振回路とインバータ部（図示せず）とで構成され、加熱コイルに発生する磁束により負荷（図示せず）を誘導加熱する。
【００２４】
６はドライブ回路で、入力は後記デジタル／アナログ変換回路（以下、Ｄ／Ａ変換回路という。）７と接続され、出力は加熱部５と接続され、後記Ｄ／Ａ変換回路７から入力される電力設定信号を加熱部５の駆動に適した駆動電圧に変換して加熱部５に出力し、加熱部５を駆動する。
【００２５】
７はＤ／Ａ変換回路で、入力は後記マイクロコンピュータ１０と接続され、出力はドライブ回路６と接続され、後記マイクロコンピュータ１０から入力される電力設定基準信号をデジタル値からアナログの電力設定信号に変換して出力する。
【００２６】
８は受信部で、後記アナログ／デジタル変換回路（以下、Ａ／Ｄ変換回路という。）９と接続され、後記リモコン１１の後記送信部１３から送られてくる動作信号を受信し、一定レベルのアナログ電気信号に変換し、後記Ａ／Ｄ変換回路９に出力する。
【００２７】
９はＡ／Ｄ変換回路で、入力は受信部８と接続され、出力は後記マイクロコンピュータ１０と接続され、受信部８からのアナログ信号をデジタル信号に変換し、後記マイクロコンピュータ１０に出力する。
【００２８】
１０はマイクロコンピュータで、表示部２、本体操作部３、Ａ／Ｄ変換回路９、Ｄ／Ａ変換回路７と接続し、情報を記憶する記憶部を備え、加熱部５、ドライブ回路６、表示部２、本体操作部３、受信部８等を制御し、入力された信号を判断し、制御信号等を出力する。
【００２９】
図１（ｂ）において、１１はリモコンで、本体１とは別体に構成され、以下に記す構成要素を備えている。
【００３０】
１２はリモコン操作部で、複数の操作キーで構成され、これらの操作キーを操作することにより動作信号を入力し、操作キーに応じて異なる周波数の動作信号で出力する。
【００３１】
１３は送信部で、入力はリモコン操作部１２と接続され、リモコン操作部１２から入力された動作信号を空間で転送できる信号に変換し、本体１の受信部８に送信する。１４はリモコンパネルで、リモコン操作部１２を搭載するリモコン１１の上面部である。
【００３２】
次に、図２に従い、本体パネル４およびリモコンパネル１４の詳細な構成を説明する。
【００３３】
図２（ａ）は本体パネル４を示したもので、表示部２すなわち液晶表示器の他、使用頻度の高い操作キーで構成される本体操作部３が配置される。ここでは、一例として、炊飯と切の２つの操作キーだけを搭載したが、保温、再加熱等の操作キーを追加してもよい。実際は製品仕様もしくは顧客要求等により選択すればよく、できる限り少ない数とすることが望ましい。
【００３４】
図２（ｂ）はリモコンパネル１４を示したものである。
リモコン１１の上面部すなわちリモコンパネル１４には、本体１すなわち本体パネル４に配置される炊飯と切の２つの操作キーを含め、全ての操作キーが配置されるリモコン操作部１２が搭載されている。リモコン操作部１２には最も使用頻度の高い操作キー（炊飯と切）を一番上に並べ、使用頻度が比較的に高い操作キー（保温と再加熱）をその下に並べている。
【００３５】
さらに、その下に、メニュー、炊き分け、予約・時計の３つのブロックに分けて操作キーを配置している。
【００３６】
メニューブロックの中では、１つの操作キーは１つの炊飯メニューに対応し、おかゆ、炊き込み、雑炊、玄米、玄米がゆ、すしの６つの操作キーを配置している。
【００３７】
炊き分けブロックの中では、１つの操作キー、若しくは２つの操作キーの組み合わせが１つの炊き分けメニューに対応し、白米、無洗米、クリン、普通、軟、硬、おこげ、快速の８つの操作キーを配置している。
【００３８】
また、予約・時計ブロックの中では、予約、時計、１０種の数字、時、分の操作キーを配置している。
【００３９】
それぞれの操作キーを押すことにより、操作キーに応じて異なる周波数の動作信号が出される仕組みである。ここでは、一例として、メニューは６種類、炊き分けメニューは１１種類あるが、実際の状況に応じ、メニューの分類、増減などは製品仕様もしくは顧客要求等により決定する。並べ方もこの例には限らず、分りやすくすればよい。
【００４０】
以上の構成において、メニューの設定から炊飯までのジャー炊飯器の動作を説明する。
【００４１】
先ず、本体１で操作を行った場合の動作を説明する。
図３（ａ）に示す初期状態すなわち白米（普通）設定の画面において、使用者が本体パネル４の本体操作部３内の炊飯キーを押す。この動作信号がマイクロコンピュータ１０に入力され、マイクロコンピュータ１０は押された操作キーが炊飯キーと理解したら、記憶された白米（普通）メニューに応じて動作を開始する。
【００４２】
マイクロコンピュータ１０は、加熱部５の負荷に応じた電力設定基準信号をＤ／Ａ変換回路７に出力する。この電力設定基準信号は、Ｄ／Ａ変換回路７によりデジタル信号からアナログ電力設定信号に変換され、ドライブ回路６に入力される。このアナログ電力設定信号は、ドライブ回路６により加熱部５の駆動に適した駆動電圧に変換され、加熱部５に入力される。加熱部５のインバータ部（図示せず）は、この駆動信号により駆動され、共振回路の加熱コイル（図示せず）に誘導電流を流し、負荷（図示せず）を加熱し始める。
【００４３】
同時に、マイクロコンピュータ１０は表示部２に表示信号を出力し、図３（ｂ）に示す白米（普通）炊飯中の画面を表示する。
【００４４】
炊飯動作開始後、各工程を経て、炊飯動作が終了すると、自動的に保温動作に移行し、図示していないが、表示部２には経過時間が表示され、一定時間後に時刻表示となり保温動作が終了する。保温動作中に切キーを押すと保温動作は中止される。尚、「炊飯中」の表示は消灯する。
【００４５】
上記のように、本体１の使用頻度の高いメニュー、ここでは白米（普通）の操作キー（炊飯キー）を一回操作するだけで炊飯が可能である。この操作キーを他のメニューに変更することを可能とすれば、どんな使用者にも対応できる。尚、「白米（普通）」は米が白米で、炊き上がりの硬さが普通であることを意味している。
【００４６】
次に、リモコン１１で操作を行った場合の動作を説明する。メニューは前記と同様の白米（普通）とする。
【００４７】
図３（ａ）に示す初期状態において、使用者がリモコンパネル１４のリモコン操作部１２内の炊飯キーを押す。すると、炊飯キーに対応する周波数の動作信号がリモコン操作部１２から送信部１３に入力される。この動作信号は送信部１３により空間へ転送できる信号に変換され、本体１の受信部８に送信される。
【００４８】
本体１の受信部８は、リモコン１１の送信部１３から送信された動作信号を受信し、この動作信号を一定レベルのアナログ電気信号に変換して、Ａ／Ｄ変換回路９に入力する。Ａ／Ｄ変換回路９は、このアナログ電気信号をデジタル信号に変換し、マイクロコンピュータ１０に入力する。
【００４９】
マイクロコンピュータ１０は、入力されたデジタル信号の値を解読し、押された操作キーが炊飯キーと理解したら、記憶された白米（普通）メニューに応じて動作を開始する。
【００５０】
以降の動作は、前記本体１で炊飯キーを押した場合の動作と同様のため割愛する。
【００５１】
次に、メニューが無洗米（硬）で、リモコン１１で操作を行った場合の動作を説明する。
【００５２】
先ず、使用者は、リモコン１１で炊飯メニューを設定するため、図２（ｂ）に示すリモコンパネル１４のリモコン操作部１２内の炊き分けブロックの中で、無洗米キーを押す。無洗米キーが押されると、無洗米キーに対応する周波数の動作信号がリモコン操作部１２から送信部１３に入力される。この動作信号は送信部１３により空間へ転送できる信号に変換され、本体１の受信部８に送信される。
【００５３】
本体１の受信部８は、リモコン１１の送信部１３から送信された動作信号を受信し、この動作信号を一定レベルのアナログ電気信号に変換して、Ａ／Ｄ変換回路９に入力する。Ａ／Ｄ変換回路９は、このアナログ電気信号をデジタル信号に変換し、マイクロコンピュータ１０に入力する。
【００５４】
マイクロコンピュータ１０は、入力されたデジタル信号の値を解読し、押された操作キーが無洗米キーと理解したら、この内容を記憶部に記憶し、表示部２に無洗米に対応する表示信号を出力して、次の入力信号が来るまで待ち状態になる。この時、表示部２は、マイクロコンピュータ１０から入力された信号により図４（ａ）に示す「無洗米」の表示が点滅する無洗米設定の画面を表示する。
【００５５】
次に、使用者は、リモコンパネル１４のリモコン操作部１２内の炊き分けブロックの中で、硬キーを押す。すると、硬キーに対応する周波数の動作信号がリモコン操作部１２から送信部１３に入力される。この動作信号は送信部１３により空間へ転送できる信号に変換され、本体１の受信部８に送信される。
【００５６】
本体１の受信部８は、リモコン１１の送信部１３から送信された動作信号を受信し、この動作信号を一定レベルのアナログ電気信号に変換して、Ａ／Ｄ変換回路９に入力する。Ａ／Ｄ変換回路９は、このアナログ電気信号をデジタル信号に変換し、マイクロコンピュータ１０に入力する。
【００５７】
マイクロコンピュータ１０は、入力されたデジタル信号の値を解読し、押された操作キーが硬キーと理解したら、記憶された無洗米と組み合わせして、炊き分けメニューの無洗米（硬）と理解し、この内容を記憶部に記憶し、表示部２に無洗米（硬）に対応する表示信号を出力して、次の入力信号が来るまで待ち状態になる。このとき、表示部２は、マイクロコンピュータ１０から入力された信号により図４（ｂ）に示す「無洗米」と「硬」の表示が同時点灯する無洗米（硬）設定の画面を表示する。
【００５８】
以上でメニューの設定が完了する。
【００５９】
次に炊飯開始の操作を行う。
続いて、使用者は、リモコンパネル１４のリモコン操作部１２内の炊飯キーを押す。すると、前記の無洗米キーと硬キー操作と同様、炊飯キーに対応する周波数の動作信号がリモコン１１のリモコン操作部１２から出力→送信部１３により変換、送信→本体１の受信部８により受信→Ｄ／Ａ変換回路９により変換→マイクロコンピュータ１０により解読というルートを経由する。
【００６０】
マイクロコンピュータ１０は、押された操作キーが炊飯キーと理解したら、記憶された無洗米（硬）メニューに応じて動作を開始する。
【００６１】
マイクロコンピュータ１０は、加熱部５の負荷（図示せず）に応じた電力設定基準信号をＤ／Ａ変換回路７に出力する。この電力設定基準信号は、Ｄ／Ａ変換回路７によりデジタル信号からアナログ電力設定信号に変換され、ドライブ回路６に入力される。このアナログ電力設定信号は、ドライブ回路６により加熱部５の駆動に適した駆動電圧に変換され、加熱部５に入力される。加熱部５のインバータ部（図示せず）は、この駆動信号によび駆動され、共振回路の加熱コイル（図示せず）に誘導電流を流し、負荷（図示せず）を加熱し始める。
【００６２】
同時に、マイクロコンピュータ１０は表示部２に表示信号を出力し、この表示信号により表示部２は、図４（ｃ）に示す無洗米（硬）炊飯中の画面を表示する。
【００６３】
炊飯動作開始後、各工程を経て、炊飯動作が終了すると、自動的に保温動作に移行し、図示していないが、表示部２には経過時間が表示され、一定時間後に時刻表示となり保温動作が終了する。尚、「炊飯中」の表示は消灯する。
【００６４】
また、リモコン１１で他のメニューを設定し、操作を行う場合の動作も前記とほぼ同様である。
【００６５】
本体１では一部のメニューの加熱しか対応できないが、リモコン１１には全ての操作キーが配置されているので、全てのメニューの設定、加熱が可能である。
【００６６】
【発明の効果】
以上述べたように、本発明のジャー炊飯器によれば、本体と、本体とは別体のリモコンとからなり、本体は負荷を加熱する加熱部と、この加熱部を駆動するドライブ回路と、炊飯状態などを表示する表示部と、動作信号を入力する本体操作部と、リモコンから送られてくる動作信号を受信する受信部と、これらを制御するマイクロコンピュータとを備え、リモコンは動作信号を入力するリモコン操作部と、この動作信号を本体に送信する送信部とを備えたジャー炊飯器において、本体操作部には使用頻度の高い操作キーのみを配置し、リモコン操作部には全ての操作キーを配置するので、本体パネルをシンプルな構成とし、老齢者なども簡単に操作ができ、且つ、本体操作部とリモコン操作部の操作キーを使い分けることによって種々のメニューに対応できるジャー炊飯器を提供することができるという効果を奏する。
【００６７】
また、リモコンに全ての操作キーを配置したので、メニューの増減等があっても、開発費用の高い本体パネルの変更をすることなく、リモコンの操作キーの増減のみで対応可能なので、開発費用を節約でき、製品の信頼性も向上する。
【００６８】
更に、リモコンに具体的なメニューに対応して全ての操作キーを配置したので、リモコンによる操作においても、メニュー設定時に操作キーの操作回数が少なくて済み、操作性もよい。
【図面の簡単な説明】
【図１】本発明の一実施例のブロック構成図で、同図（ａ）は本体のブロック構成図を示し、同図（ｂ）はリモコンのブロック構成図を示す。
【図２】本発明の一実施例のパネルの図で、同図（ａ）は本体パネルの図を示し、同図（ｂ）はリモコンパネルの図を示す。
【図３】本発明の一実施例の白米の炊飯時の表示部の表示を示す図で、同図（ａ）は白米（普通）設定を示し、同図（ｂ）は白米（普通）炊飯中を示す。
【図４】本発明の一実施例の無洗米の設定から炊飯までの表示部の表示を示す図で、同図（ａ）は無洗米設定を示し、同図（ｂ）は無洗米（硬）設定を示し、同図（ｃ）は無洗米（硬）炊飯中を示す。
【図５】第一の従来例のジャー炊飯器の本体パネルの図で、同図（ａ）は本体パネル４の表示部２の表示内容が初期状態の場合を示し、同図（ｂ）は炊き分けメニューの設定を行う場合を示し、同図（ｃ）は炊飯メニューの設定を行う場合を示す。
【図６】第二の従来例のジャー炊飯器の入力および表示部の表示例を示す図で、同図（ａ）は操作開始前の状態を示し、同図（ｂ）はすぐ炊飯またはタイマー予約の選択表示を示し、同図（ｃ）は選択したメニューの確認表示を示し、同図（ｄ）は炊飯中表示を示す。
【符号の説明】
１  本体
２  表示部
３  本体操作部
５  加熱部
６  ドライブ回路
８  受信部
１０  マイクロコンピュータ
１１  リモコン
１２  リモコン操作部
１３  送信部
【図１】
2004229850.tif 000003
【図２】
2004229850.tif 000004
【図３】
2004229850.tif 000005
【図４】
2004229850.tif 000006
【図５】
2004229850.tif 000007
【図６】
2004229850.tif 000008